(57)【要約】【課題】  短周期で圧変化するエアー袋から人体への刺激を効果的に得、血行促進、肩こり、腰痛の緩和などが可能なマッサージ装置を提案する。【解決手段】  圧変化が長周期のエアー袋と圧変化が短周期のエアー袋で圧印加時に人体の一部を挟む配置にし、長周期のエアー袋で予圧を加え、短周期のエアー袋の圧変化による変位を打撃あるいは振動の刺激として効果的に得る。人体の部位によって短周期のエアー袋を相対的に小面積で硬いシート材で形成する。【選択図】            図１
2007097737.tif 000002
【特許請求の範囲】
【請求項１】
エアーポンプと弁でエアー袋に空気を給排気することで人体に圧変化の刺激を与えるマッサージ装置において、圧変化が長周期のエアー袋と短周期のエアー袋を圧印加状態で人体の一部を挟む位置に配置することを特徴とするマッサージ装置。
【請求項２】
前記長周期のエアー袋と前記短周期のエアー袋を、人体の側部方向と直行する方向から人体の一部を挟むことを特徴とする請求項１記載のマッサージ装置。
【請求項３】
前記長周期のエアー袋を前記短周期のエアー袋と比較して大きい面積にすることを特徴とする請求項１、２記載のマッサージ装置。
【請求項４】
前記長周期のエアー袋は前記短周期のエアー袋と比較して伸び張力の小さいシート材で構成されることを特徴とする請求項１から３記載のマッサージ装置。
【請求項５】
足の甲部に前記長周期のエアー袋を、足の土踏まず部に前記短周期のエアー袋を配置することを特徴とする請求項１から４記載のマッサージ装置。
【請求項６】
左右の足を設定するU字形状筐体の内側側部にそれぞれ対の前記長周期のエアー袋を、底部に前記短周期のエアー袋を配置し、圧印加状態の前記長周期のエアー袋で脛部を前から押さえ、脹脛部を前記短周期のエアー袋で後から挟むことを特徴とする請求項１から４記載のマッサージ装置。
【請求項７】
前記U字形状筐体の底部に中央の膨らみを抑えて脹脛部の左右後から挟む前記短周期のエアー袋を配置することを特徴とする請求項６記載のマッサージ装置。
【請求項８】
足の甲部に前記長周期のエアー袋を、中央の膨らみを抑えてアキレス腱部の左右後から挟む前記短周期のエアー袋を配置することを特徴とする請求項１から４記載のマッサージ装置。
【請求項９】
肩部の前に前記長周期のエアー袋を、肩部の後から挟む前記短周期のエアー袋を配置することを特徴とする請求項１から４記載のマッサージ装置。
【請求項１０】
前腕部の上から前記長周期のエアー袋を、下から挟む前記短周期のエアー袋を配置すること特徴とする請求項１から４記載のマッサージ装置。
【請求項１１】
生体に衝突して刺激する刺激部を有すると共に空気圧によって伸縮するカフ部材と、当該部材と接続すると共に、生体に静的な関係を維持しながら、前記部材の伸縮を確保する支持部材よりなるマッサージ装置。
【発明の詳細な説明】
【技術分野】
【０００１】
本発明は、エアーが給排気されるエアー袋による圧変化で人体を刺激するマッサージ装置に関するものである。
【背景技術】
【０００２】
エアーの秒単位のゆっくりとした圧変化を人体に加えるマッサージ装置では単調で指圧的効果が少ないとして、エアーポンプやエアータンクからの空気圧を短周期でエアー袋に給排気することで人体に打撃、あるいは振動の刺激を与える方法は知られている。
【０００３】
例えば、特許文献１では、短周期で振動する加圧部で人体に振動の刺激を与えるブーツ形状のマッサージ装置（マッサージャー）が示されている。特許文献２では、エアーコンプレッサーとチャンバーおよびエアー袋（袋体）を直結し、チャンバーに直結した電磁バルブの短周期の開閉でバイブレーター的指圧効果を得る布団体が示されている。
【０００４】
特許文献３では、ダイヤフラム式振動ポンプの低速駆動による脈流で振動のマッサージ効果を得る巻装形式のマッサージ器が示されている。また特許文献４では、エアータンクと電磁弁によるエアー袋（施療袋）の連続短期膨縮で打撃的な刺激を得る椅子やマットが示されている。
【特許文献１】公開実用新案公報昭６２―１９２７２６
【特許文献２】公開特許公報平３―２１２２７１
【特許文献３】公開特許公報平１０―９４５７３
【特許文献４】公開特許公報２００２―５２０５４
【発明の開示】
【発明が解決しようとする課題】
【０００５】
椅子に座った姿勢での足や腕や肩のようにエアー袋に加わる人体の一部の重みが軽い場合には、エアー袋の短周期の圧変化を受けて打撃や振動のマッサージ効果を得るには人体とエアー袋の間の反作用でお互いが離れて効果的でない。ブーツ形状や巻装形式の場合では反作用による逃げをある程度抑制できるが、ブーツ形状と足寸法の個人差や、巻装形式の装着ばらつきで効果が低減される。またブーツ形状や巻装形式のマッサージ装置は着脱に手間がかかる。
【課題を解決するための手段】
【０００６】
上記課題を解決するために、本発明に係わるマッサージ装置は打撃や振動の刺激を与えるエアー袋から人体が逃げるのをなくすため以下の手段をとる。
本発明の請求項１記載では、圧変化が長周期のエアー袋と圧変化が短周期のエアー袋を圧印加状態で人体の一部を挟む位置に配置し、長周期のエアー袋で人体の一部を圧で押さえることで短周期のエアー袋による圧変化から人体を逃がさないようにする。エアー袋が圧の非印加状態では、長周期のエアー袋と短周期のエアー袋は人体を挟む位置に配置されなくてもよい。
【０００７】
本発明の請求項２記載では、圧変化が長周期のエアー袋と短周期のエアー袋を、人体の側部方向（左右方向）と直行する方向、例えば前後方向あるいは上下方向から人体の一部を挟む位置に配置する。人体の一部である脹脛部、足の土踏まず部、アキレス腱部、さらには肩部の後など前後、あるいは上下方向に挟む位置に圧変化が短周期のエアー袋を配置して打撃や振動の刺激を効果的に人体に与える。
【０００８】
本発明の請求項３記載では、圧変化が長周期のエアー袋は短周期のエアー袋に較べて大きい面積にする。長周期のエアー袋を大きい面積にすることで人体の一部をしっかり押さえ、小さい面積で短周期のエアー袋はエアーの給排気による振動で人体を効果的に刺激する。
【０００９】
本発明の請求項４記載では、圧変化が長周期のエアー袋を短周期のエアー袋に較べて伸び張力の小さいシート材にする。結果、長周期のエアー袋は軟らかいシート材で形成されて人体の凹凸になじみ広い面積で圧を加える。圧変化が短周期のエアー袋は硬めのシート材で、打撃や振動の刺激を強調する。
【００１０】
本発明の請求項５記載では、足の甲部の上に圧変化が長周期のエアー袋を、足の土踏まず部の下に短周期のエアー袋を配置し、足を上下方向から挟む構成にする。短周期のエアー袋に相対的に面積が小さく硬めのシート材を用いて打撃や振動の刺激を強調できる。
【００１１】
本発明の請求項６記載では、左右の足を設定するU字形状筐体の内側側部のそれぞれに対に配置された長周期のエアー袋は、後が回動可能に支持されて圧印加状態では脛部を前から押さえる。圧変化が短周期のエアー袋はU字形状筐体の底部に配置され、脹脛部を後から挟み、打撃や振動の刺激を人体に与える。
【００１２】
本発明の請求項７記載では、請求項６記載の構成の圧変化が長周期のエアー袋の構成と配置を同じにして、U字形状筐体の底部で脹脛部の後に配置される短周期のエアー袋を中央部が膨らむのを抑えて左右が膨らむ構成にする。短周期のエアー袋は、ひとつのエアー袋の中央がクランプされた構成か、２つのエアー袋を左右に配置する構成にする。  
【００１３】
本発明の請求項８記載では、足の甲部に圧変化が長周期のエアー袋を、中央の膨らみが抑えられ左右が膨らむ構成にした短周期のエアー袋をアキレス腱部の後に配置して、前後からアキレス腱部近傍の足を前後から挟む。
【００１４】
本発明の請求項９記載では、肩部の前に圧変化が長周期のエアー袋を、肩部の後から短周期のエアー袋を配置する。圧印加状態で前後から挟めばよく、圧の非印加状態では前後から挟んだ配置でなくともよい。短周期のエアー袋を相対的に面積が小さく固めのシート材の袋にして刺激を強調してもよい。
【００１５】
本発明の請求項１０記載では、例えば肘掛に前腕部を置いた状態で、前腕部の上から圧変化が長周期のエアー袋を、下から短周期のエアー袋を配置して上下から前腕部を挟む。前腕部を肘掛に置いた状態でなくともよい。
【発明の効果】
【００１６】
本発明のマッサージ装置は、エアーポンプから弁を介して空気が給排気されることで生じるエアー袋の圧変化を打撃や振動の刺激として効果的に人体の一部に与えることができる。
【００１７】
圧変化が長周期のエアー袋と圧変化が短周期のエアー袋を圧印加状態で人体の一部を挟む配置にすることで、圧の非印加状態では人体の一部を配置されるべき位置に容易に出し入れできる構成が可能になる。
【００１８】
短周期で打撃や振動の刺激を加える圧変化が短周期のエアー袋に印加する空気圧の変化の周期を秒単位にすることにより人体にゆっくりとした圧変化を加える機能をハード的追加することなく必要な人体の部位で兼用できる。
【発明を実施するための最良の形態】
【００１９】
エアーポンプから弁を介して空気が給排気される複数のエアー袋を、圧変化が長周期のエアー袋と圧変化が短周期のエアー袋の対構成で人体の一部を挟む位置に配置する。例えば足の甲の上に長周期のエアー袋を、土踏まず部の下に短周期のエアー袋を配置する、あるいは脛部の前から長周期のエアー袋を脹脛部の後から短周期のエアー袋を配置する。
【００２０】
圧変化が長周期のエアー袋と短周期のエアー袋で上下方向あるいは前後方向から挟む構成にすることで短周期のエアー袋の圧変化による打撃あるいは振動による刺激を土踏まず部、脹脛部のように刺激を効果的に生かせる部位に加えることができる。肩部、前腕部、アキレス腱部についても同様の配置で同じ効果が期待できる。人体の一部の上下あるいは前後の方向は、人体の左右の方向と直行する方向になる。
【００２１】
エアー袋の圧変化による刺激を効果的にするため、エアー袋の変動を大きくし、当たりを明確にする。具体的には、刺激を生じさせる圧変化が短周期のエアー袋の面積を相対的に小さくし、袋を形成するシート材を硬いものにする。硬いものは一般的に伸び張力は大きい。一方、圧変化が長周期のエアー袋は相対的に大きい面積で伸び張力の小さく軟らかいものにして、人体の一部に広い接触面積で圧を加えるものにする。
【実施例１】
【００２２】
図１は本発明の実施例１を示す。足の甲部１の上に圧変化が長周期のエアー袋２を、土踏まず部３の下に圧変化が短周期のエアー袋４を配置し、圧印加状態で足を上下から足を挟む。圧変化が長周期とはマッサージ装置の一連の機能動作に必要な秒単位の時間を、圧が短周期とは打撃や振動として感じる数分の１秒以下の時間をいう。圧印加状態にした長周期のエアー袋２で足の甲部１を押さえ、短周期のエアー袋４の圧変化を土踏まず部３に強く感じさせる。  
【００２３】
圧変化は図示されていないエアーポンプと弁の周期的な開閉で行われる。弁でエアーポンプに直結するとエアー袋の圧が上昇し、弁を閉めると圧の上昇が止まり、弁で大気とエアー袋を直結するとエアー袋の圧が低下する。この一連の動作にかかる時間を周期とし、本発明のマッサージ装置では、人体の一部を挟むのに圧変化が長周期のエアー袋２と短周期のエアー袋４と、それぞれに弁である三方電磁弁が必要になる。  
【００２４】
圧変化が長周期のエアー袋２は、相対的に軟らかく伸び張力の小さいシート材で、面積も比較的大きくすることで足の甲部１を包み込むように広い面積で当たり、甲部１を下方向に押しつける予圧を担う。圧変化が短周期のエアー袋４は、相対的に硬いシート材で面積を小さくすると圧変化による刺激が強まる。この刺激は周期が数分の１秒程度では打つ感じの打撃的感覚を、１０分の１秒程度では振動的感覚を人体に与える。    
【００２５】
土踏まず部３近傍の足の上下や側部では、土踏まず部３を下から刺激を与えるのが感覚的にも身体的にも効果的と思われる。この足の部分の自重は軽く、下からの圧変化だけでは足は逃げて刺激が小さくなる。足の甲部１の上から予圧が加えられることで打撃や振動の刺激が効果的に強調される。長周期のエアー袋２と短周期のエアー袋４は上の固定部５と下の踏み部６に固定される。圧の非印加状態ではそれぞれのエアー袋は収縮して足を簡単に出し入れできる。
【実施例２】
【００２６】
図２は本発明の実施例２を示す。左右のU字形状筐体７、８の内側側部に圧変化が長周期のエアー袋９、１０と１１、１２が回動可能で対配置に、底部１３に圧変化が短周期のエアー袋１４と１５が取り付けられ、圧印加状態で前後から脛部１６と１７と脹脛部１８と１９を挟む。対配置の長周期のエアー袋９、１０と１１、１２は圧印加状態で脛部１６と１７を前から押さえることになり、圧の非印加状態ではU字形状筐体７、８の側部に収めて足の出入りを容易にするため、それぞれの長周期のエアー袋９、１０と１１、１２に重ねて補助エアー袋２０、２１と２２、２３を配置するとよい。これらの補助エアー袋２０、２１と２２、２３もU字形状筐体７、８の側部に仕切り板２４、２５と２６、２７を介して回動可能に支持される。
【００２７】
脛部１６と１７に前から長周期のエアー袋９、１０と１１、１２の予圧が加えられることにより、マッサージが効果的な部位と思われる脹脛部１８と１９に圧変化が短周期のエアー袋１４と１５の圧変化による打撃や振動の刺激が強調されて加えられる。脹脛部１８と１９に加えられる刺激は１０分の１秒より長い周期の打撃的な刺激が体感的には有効と思われる。脛部１６と１７に対応して大きい面積が必要な長周期のエアー袋９、１０と１１、１２に較べ、短周期のエアー袋１４と１５の面積を相対的に小さいものにして脹脛部１８と１９に加える刺激を効果的にする必要がある。  
【実施例３】
【００２８】
図３は本発明の実施例３を示し、実施例２と人体の同じ部位に対応し、構成が基本的に似た実施例である。異なるのは、U字形状筐体２８と２９の底部３０と３１に配置される圧変化が短周期のエアー袋３２と３３を、中央の膨らみを抑えて両側の部分が膨らみ、脹脛部３４と３５の左右後から挟む構成にすることである。脹脛部３４と３５の表面積は比較的大きく幅も大きいため左右に分離して包む構成にするのが体感的に優れる。
【実施例４】
【００２９】
図４は本発明の実施例４を示す。足の甲部３６に圧変化が長周期のエアー袋３７を、アキレス腱部３８の後から圧変化が短周期のエアー袋３９を配置し、圧印加状態で足を前後から挟む。長周期のエアー袋３７は直接に短周期のエアー袋３９と同方向の圧で挟んでいないが、足の甲部３６に加わる圧で足は筐体の踏み部４０に固定され、結果的に短周期のエアー袋３９とで挟むのと同様になる。
【００３０】
圧変化が短周期のエアー袋３９は、アキレス腱部３８の中央に相当する中央部の膨らみを抑え、左右の後から当てる構成にする。アキレス腱部３８は左右のくびれが急峻なため、エアー袋の中央が膨らむ単一の構成では効果的な刺激を与えることができない。振動や打撃の刺激でなく、ゆっくりした圧変化でアキレス腱部３８をマッサージするときに顕著な効果の差が生じる。
【実施例５】
【００３１】
図５は本発明の実施例５を示す。圧変化が長周期のエアー袋４１を肩部４２の前に、圧変化が短周期のエアー袋４３を肩部４２の後に配置する。短周期のエアー袋４３は相対的に面積が小さく硬いシート材で構成されると、短周期の圧変化が打撃あるいは振動の刺激として効果的に体感できる。
【００３２】
圧変化が長周期のエアー袋４１と短周期のエアー袋４３を前固定部４４と後固定部４５に取り付け、圧印加時の反撥による間隔をほぼ一定にすることで肩部４２に加わる刺激を大きくすることができる。図５では、前固定部４４と後固定部４５は背もたれからあるいは背もたれに形成されているが、前固定部と後固定部が連結されたハンディータイプの構成にしてもよい。また折りたたみ構成にしてもよい。
【実施例６】
【００３３】
図６は本発明の実施例６を示す。肘掛４６においた状態の前腕部４７の上から圧変化が長周期のエアー袋４８を、下から圧変化が短周期のエアー袋を４９配置し、上下から前腕部４７を挟む。長周期のエアー袋４８と短周期のエアー袋４９は上固定部５０と肘掛４６に取り付けられ、圧印加による刺激が前腕部４７に効果的に加わるようにする。
【００３４】
圧変化が長周期のエアー袋と短周期のエアー袋をハンディータイプのものに取り付けて、マッサージ装置の使用時での姿勢や場所を選ばない構成にしてもよい。また、実施例５の肩部にも兼用できるハンディータイプのマッサージ装置にしてもよい。さらに用途を広げて頭や首のマッサージに使用できるものにしてもよい。
【００３５】
即ち、本発明は、空気圧に起因する打撃ではあるが、寝具タイプ、椅子タイプとは異なり、肩、頭、腰などの生体の一部を刺激すべく、生体に衝突して刺激する刺激部を有すると共に空気圧によって伸縮するカフ部材と、当該部材と接続すると共に、生体に静的な関係を維持しながら、前記部材の伸縮を確保する支持部材の組み合わせとしても示される。
支持部材による静的な関係の維持とは、当接状態が維持される状態、カフ部材の伸縮による生体への刺激部の繰り返し衝突時において、衝突とは無関係に当接した状態を持続、又は断続的に維持することを示す。
上述のように生体を挟持して、短周期の加圧を行う場合は、挟持具及び挟持具の内面に接続し、対向する部位に配置された長周期的加圧部、或いは刺激具を生体に固定する固定バンド等も支持部材に含まれ得る。
【００３６】
カフ部材の伸縮による生体への刺激の繰り返し衝突を安定的に行わせるために用いられる支持部材は、例えば、手持ち型で、肩、腰、頭皮、足裏等に、カフ部材の伸縮に伴う刺激部の刺激の印加であれば、手持ち部が相当する。
刺激部は、硬質性、針状、ブラシ状、凹凸状等、生体を刺激するものが別途付加されても良く、カフそのもの、或いは、開口状態として直接空気を生体へ加えるものであっても良い。尚、カフ部材は、必ずしも一つの支持部材に一つ配置する必要はなく、複数の刺激部を有する複数のカフ部材であってもよく、一つのカフ部材に対する複数の刺激部材であっても良い。
本発明では、刺激部が硬質であっても、伝達部が、ポリエステル、ＰＶＡ、ＰＥＴ等の柔軟性プラスチック部材、蛇腹状の硬質プラスチック等で形成されることから、生体への衝突に際しても、緩衝効果を有する為、やさしい刺激として、頭皮、顔面等のデリケートな部位への刺激に好適に供する。
本発明は、通常のカフよりもその膨張速度、膨張容積が小さいカフに対する、いわばデジタル的な空気圧の入出力により打撃を形成すれば良く、その他の要件は、適宜選択的に調整されてもよいのである。
例えば、中心に刺激用カフを据え、伸縮するカフの空間を確保する半球型の硬質性の支持部材であって、当該支持部材の半球型の開口面を生体に押し当て、内部の刺激用カフを膨張、伸縮させることで、膨張時、生体を刺激するようなものであってもよい。刺激用カフの移動により、半球内の空気が抵抗となる場合があるため、通気部を一部に設けても良い。
【００３７】
本発明における刺激は、空気圧によるカフの膨張及び収縮を急激に生体に加えるものであればよく、その為には、少なくとも、生体と刺激用カフとが、接触しているか離れるような状態で、生体に据え置かれ、空気圧が急激に高まることで、カフが膨張して、生体を急激に押圧した後、カフ内の空気圧を解除して、一つの刺激を形成し、これを好ましくは１〜５０Hz好ましくは、２〜２０Ｈzで動作させて、刺激を形成するものであってもよい。
又、刺激時間を例えば、２５msc〜３００msecで、繰り返し行う様にカフを膨張伸縮させる場合も例示される。
尚、自重、他の押圧具が無い場合は、積極的なカフの伸縮手段を併せて具えると良い。
従って、刺激用カフの周辺には、これを支持する為の支持部材、膨張した環状の空気袋、環状の硬質性部材が形成され、空気圧の入出力によって、刺激用カフが繰り返し刺激を生体に与えることを可能とする。刺激の範囲は、膨張時のカフの刺激面積に相当し、刺激面積が１０〜３００cm2位が例示されるが刺激部に前述の大きさの刺激面積を有する硬質性の凹凸が形成された場合は、特に限定されない。
【００３８】
本発明は、空気圧によりマッサージを行うだけでなく、局所的刺激により、肩こりの緩和、育毛、血行促進の可能性を含み、押し当てる部位、刺激部の形状によっては、経穴への刺激として有効に作用する。
経穴への刺激は、通常、鍼による穿刺、もぐさの燃焼による灸など、より局所的であるが、その他、圧迫による刺激も有効であることが知られており、その点でも上述の様な面積による空気圧刺激により、従来には無い緩衝性の高い刺激効果、マッサージ効果を具える。
従って、本発明は、顔面、頭部、肩、腰、足裏等の生体の各所での使用に適する構成が好ましく、刺激カフを含む手持ち型の刺激装置、固定バンドによって、固定されて利用されるもの、押し当てる手法、その刺激がより狭い範囲で行われるのであれば良いが、その際少なくとも、生体と装置の間に膨張空間を形成できる状態であれば、如何なる構成も取り得るのである。
【図面の簡単な説明】
【００３９】
【図１】本発明の一実施例を示す図。
【図２】本発明の他の実施例を示す図。
【図３】本発明の他の実施例を示す図。
【図４】本発明の他の実施例を示す図。
【図５】本発明の他の実施例を示す図。
【図６】本発明の他の実施例を示す図。
【符号の説明】
【００４０】
１  甲部
２、９、１０、１１、１２、３７、４１、４８  長周期のエアー袋
３  土踏まず部
４、１４、１５、３２、３３、３９、４３、４９  短周期のエアー袋
７、８、２８、２９  U字形状筐体
１６、１７  脛部
１８、１９、３４、３５  脹脛部
３８  アキレス腱部
４２  肩部
４９  前腕部
【図１】
2007097737.tif 000003
【図２】
2007097737.tif 000004
【図３】
2007097737.tif 000005
【図４】
2007097737.tif 000006
【図５】
2007097737.tif 000007
【図６】
2007097737.tif 000008